(57)【要約】【課題】ベース編地部の表面に表れ、ベース編地部における非水平方向に離れた２点間に掛け渡される少なくとも２つの渡り糸部が互いに交差するように配された組織柄を備える編地の編成方法を提供する。【解決手段】ベース編地部の編成途中で、第１始点編目１１をベース編地部の編目に形成し、第１始点編目１１から針床の左右方向の離れた位置に第１掛け目１２を形成した後、第１終点編目１３を形成することで第１渡り糸部１を形成する。次に、第２始点編目２１をベース編地部の編目に形成し、第１渡り糸部１を横切るように、第２始点編目２１から針床の左右方向の離れた位置に第２掛け目２２を形成した後、第２終点編目２３を形成することで第２渡り糸部２を形成する。そして、所定コースのベース編地部を編成した後、第１掛け目１２と第２掛け目２２をベース編地部に編み込む。【選択図】図２
2010133055.tif 000002
【特許請求の範囲】
【請求項１】
左右方向に延び、かつ前後方向に対向する少なくとも一対の針床を有し、前後の針床の少なくとも一方が左右にラッキング可能で、かつ前後の針床間で編目の目移しが可能な横編機を用いて編地を編成する方法であって、
以下のステップ１〜ステップ８を含む編成を行うことで、ベース編地部のコース方向に交差する方向に延びる第１渡り糸部を形成した後、第１渡り糸部に交差し、かつベース編地部のコース方向にも交差する方向に延びる第２渡り糸部を形成することを特徴とする編地の編成方法。
ベース編地部の編成途中で、第１渡り糸部の始点となる第１始点編目をベース編地部の編目に形成するステップ１。
第１始点編目から針床の左右方向の離れた位置に、第１渡り糸部の折り返し点となる第１掛け目を形成するステップ２。
第１渡り糸部の終点となる第１終点編目を前記第１始点編目、またはその近傍のベース編地部の編目に形成するステップ３。
第１渡り糸部の編成後に、第２渡り糸部の始点となる第２始点編目を、ベース編地部の編目に形成するステップ４。
前記第１渡り糸部を横切るように、第２始点編目から針床の左右方向の離れた位置に、第２渡り糸部の折り返し点となる第２掛け目を形成するステップ５。
第２渡り糸部の終点となる第２終点編目を前記第２始点編目、またはその近傍のベース編地部の編目に形成するステップ６。
第１渡り糸部と第２渡り糸部の編成が終了した後、所定コースのベース編地部を編成するステップ７。
ステップ７の後に、第１掛け目と第２掛け目をベース編地部に編み込んで固定するステップ８。
【請求項２】
ステップ４の後で、ステップ５の前に、第１掛け目から第１始点編目と反対側に給糸口を位置させると共に、第１掛け目を対向する針床の編目の係止していない空針に目移しし、
ステップ５の後で、ステップ６の前に、第１掛け目から第１始点編目と反対側に給糸口を位置させた後、預けおいた第１掛け目を第１始点編目を有する針床の編目の係止していない空針に移し戻すことを特徴とする請求項１に記載の編地の編成方法。
【発明の詳細な説明】
【技術分野】
【０００１】
本発明は、ベース編地部の表面に表れ、ベース編地部における非水平方向に離れた２点間を往復するように掛け渡される渡り糸部を少なくとも２つ編成する際、それら渡り糸部が互いに交差する編地の編成方法に関するものである。
【背景技術】
【０００２】
横編機を用いて編地の途中に複数本の編糸が並列した状態で長く掛け渡されたような柄部を編成する方法として、特許文献１に記載の編地の編成方法がある。この方法では、編地のコース編成中の所定区間をミスすることで、ミスされた区間に給糸された編糸が渡り糸部となって水平方向に延ばされる。この編成を、各コースを編成する際に繰り返すことで、編地の途中に、コース方向（水平方向）に編糸が掛け渡され、その編糸がウェール方向（垂直方向）に複数本並列されたいわゆるミス柄を形成することができる。
【０００３】
【特許文献１】特開２００６−２２５７７６号公報
【発明の開示】
【発明が解決しようとする課題】
【０００４】
このように、編地の途中で、コース方向に編糸が掛け渡され、その編糸がウェール方向に複数本並列されたようなミス柄を有する編地は既に提案されている。しかし、近年では、顧客のニーズが多様化しており、新規な組織柄の開発が望まれている。
【０００５】
本発明は、上記の事情に鑑みてなされたもので、その目的の一つは、ベース編地部の表面に表れ、ベース編地部における非水平方向に離れた２点間を往復するように掛け渡される渡り糸部を少なくとも２つ編成する際、それら渡り糸部が互いに交差する編地の編成方法を提供することにある。
【課題を解決するための手段】
【０００６】
本発明は、左右方向に延び、かつ前後方向に対向する少なくとも一対の針床を有し、前後の針床の少なくとも一方が左右にラッキング可能で、かつ前後の針床間で編目の目移しが可能な横編機を用いて編地を編成する方法に係る。この本発明編地の編成方法は、以下のステップ１〜ステップ８を含む編成を行うことで、ベース編地部のコース方向に交差する方向に延びる第１渡り糸部を形成した後、第１渡り糸部に交差し、かつベース編地部のコース方向にも交差する方向に延びる第２渡り糸部を形成することを特徴とする。
（ステップ１）…ベース編地部の編成途中で、第１渡り糸部の始点となる第１始点編目をベース編地部の編目に形成する。
（ステップ２）…第１始点編目から針床の左右方向の離れた位置に、第１渡り糸部の折り返し点となる第１掛け目を形成する。
（ステップ３）…第１渡り糸部の終点となる第１終点編目を前記第１始点編目、またはその近傍（３目以内）ベース編地部の編目に形成する。
（ステップ４）…第１渡り糸部の編成後に、第２渡り糸部の始点となる第２始点編目を、ベース編地部の編目に形成する。
（ステップ５）…前記第１渡り糸部を横切るように、第２始点編目から針床の左右方向の離れた位置に、第２渡り糸部の折り返し点となる第２掛け目を形成する。
（ステップ６）…第２渡り糸部の終点となる第２終点編目を前記第２始点編目、またはその近傍（３目以内）のベース編地部の編目に形成する。
（ステップ７）…第１渡り糸部と第２渡り糸部の編成が終了した後、所定コースのベース編地部を編成する。
（ステップ８）…ステップ７の後に、第１掛け目と第２掛け目をベース編地部に編み込んで固定する。
但し、第１始点編目、第２始点編目、第１終点編目、および第２終点編目は、ベース編地部の編目に直接形成しても良いし、一旦空針に掛け目を形成し、その掛け目をベース編地部の編目に目移しすることで形成しても良い。
【０００７】
本発明編地の編成方法の一形態として、ステップ４の後で、ステップ５の前に、第１掛け目を挟んで第１始点編目と反対側に給糸口を位置させると共に、第１掛け目を対向する針床の編目の係止していない空針に目移しし、ステップ５の後で、ステップ６の前に、第１掛け目を挟んで第１始点編目と反対側に給糸口を位置させた後、預けおいた第１掛け目を第１始点編目を有する針床の編目の係止していない空針に移し戻すようにしても良い。
【発明の効果】
【０００８】
本発明編地の編成方法によれば、コース方向と交差する方向に離れた２点間を往復するように掛け渡された第１渡り糸部および第２渡り糸部が、互いに交差するように配された新規なデザインの編地を編成することができる。形成する渡り糸部の数を多くすれば、様々な組織柄（例えば、格子柄など）をデザインとすることも可能である。なお、後で編成される第２渡り糸部は、先に編成される第１渡り糸部の後側（ベース編地部の表面側）に配される。
【０００９】
また、ステップ４と５の間、およびステップ５と６の間で第１掛け目を前後の針床間で目移しすることで、後から編成される第２渡り糸部を、第１渡り糸部よりも前側（ベース編地部の表面から離れた側）に配置することができる。この編成方法と、上段の編成方法を組み合わせることで、複数の渡り糸部が織物のように交差するネット状柄を編成することができる。
【発明を実施するための最良の形態】
【００１０】
以下、左右方向に延び、かつ、前後方向に互いに対向する前後一対の針床（前針床ＦＢと後針床ＢＢ）を有し、後針床が左右にラッキング可能で、しかも、前後の針床間で編目の目移しが可能な２枚ベッドの横編機を用いて渡り糸部を有する筒状編地を編成する例を説明する。渡り糸部は、ベース編地部Ｂにおける非水平方向に離れた２点間を往復するように掛け渡され、ベース編地部Ｂの表面上に表れる編糸からなる。
【００１１】
図１は、渡り糸部を設けた筒状編地の一部を示す模式図である。この筒状編地は、ベース編地部Ｂの表面に、渡り糸部１〜４が織物のように交差するネット状柄を形成している。以下、渡り糸部１と２、渡り糸部１と３の編成手順を主として説明する。
【００１２】
＜編成手順１＞
図２は、ベース編地部Ｂに渡り糸部１と２を編成する手順を示す編成工程図である。図２において、左欄は編成工程の番号を、右欄はその編成工程における編成状態を示す。また、右欄中の●はその編成工程で新たに形成される編目を、○は編針に係止される編目を、Ｖ字は掛け目を示す。なお、説明の便宜上、図２では、編針の数を実際よりも少なく表示している。
【００１３】
まず、Ｓ１は、図１における渡り糸部１と２の下端部まで筒状のベース編地部Ｂを針抜き状態で編成した状態を示す。そして、Ｓ２では、渡り糸部１，２がベース編地部Ｂの表面側に位置するように、ＦＢの針ｆ、ｈ、ｊ、ｌに係止される編目を対向するＢＢの針ｆ、ｈ、ｊ、ｌに目移しする。
【００１４】
次に、Ｓ３では、ベース編地部Ｂを編成するための給糸口から編糸を給糸させ、ＦＢの針ｎに編目（第１始点編目１１）を形成した後、給糸口を紙面左に移動させてＦＢの針ｅに掛け目（第１掛け目１２）を形成し、給糸口を紙面右に移動させてＦＢの針ｎに編目（第１終点編目１３）を形成する。このＳ３により、渡り糸部（第１渡り糸部）１が形成される。なお、渡り糸部１は、ベース糸とは異なる編糸で形成してもかまわない。
【００１５】
Ｓ４では、Ｓ２でＢＢに預けておいた編目をＦＢの元の針ｆ、ｈ、ｊ、ｌに返し、渡り糸部１が、筒状編地の表面に配されるようにする。また、Ｓ４では、図示していないが、ＦＢに編目を返した状態とした後、ＦＢの編針ｌ、ｊ、ｈ、ｆで新たな編目を編成し、給糸口を編針ｅよりも左側に位置させておく。
【００１６】
Ｓ５では、ＦＢの針ｈ、ｊ、ｌに係止される編目を対向するＢＢの空針ｈ、ｊ、ｌに目移しする。そして、Ｓ６では、ＦＢの針ｆに編目（第２始点編目２１）を形成した後、給糸口を紙面右に移動させてＦＢの針ｍに掛け目（第２掛け目２２）を形成し、給糸口を紙面左に移動させてＦＢの針ｆに編目（第２終点編目２３）を形成する。これらの工程により、渡り糸部（第２渡り糸部）２が形成される。
【００１７】
Ｓ７では、ＢＢの針ｈ、ｊ、ｌに預けておいた編目をＦＢの元の針ｈ、ｊ、ｌに移し戻す。この工程により、渡り糸部１と２が、筒状編地の表面に配置される。ここで、後から形成される渡り糸部２は、図１に示すように、先に形成される渡り糸部１の後側（ベース編地部Ｂの表面側）に配される。
【００１８】
Ｓ７以降は、所定のコース数だけ周回編成を行って、ベース編地部Ｂを筒状に編成した後、ＦＢの針ｅ、ｍの掛け目を、ベース編地部Ｂの編目が係止される針にＢＢの空針を使って目移しする。例えば、針ｅの掛け目をＦＢの針ｄに、針ｍの掛け目をＦＢの針ｎに目移しする。つまり、掛け目を目移しして重ね目を設け、再びベース編地部Ｂの編成を開始すれば、折り返し点がベース編地部Ｂに編み込まれて、図１に示す渡り糸部１、２が完成する。
【００１９】
＜編成手順２＞
次いで、図１の渡り糸部１と３の編成手順を図３に基づいて説明する。先に述べたように、図２の編成工程に従って編成を行えば、後に形成される渡り糸部２は、先に形成される渡り糸部１の後側（ベース編地部Ｂの表面側）に配されるが、図１に示す渡り糸部３は、渡り糸部１よりも後に形成されるにも拘らず、渡り糸部１の前側（ベース編地部Ｂの表面から離れた側）に配されている。
【００２０】
図３は、渡り糸部１と３の編成手順について、渡り糸部の編成状態を経時的に示す編成イメージ図である。この図では針床を省略している。また、丸で囲まれるＴ＋数字で編成の順番を示す。図３中、●は編目を、Ｖ字は掛け目を、▼は給糸口を、太線はその編成工程で給糸口から給糸された編糸を示す。なお、この図３では、給糸口の移動の軌跡を示すように編糸を表示しており、実際の編糸の長さを反映したものではない。
【００２１】
まず、図３のＴ１では、図２のＳ２〜Ｓ５と同様の編成を行い、渡り糸部（第１渡り糸部）１を形成する。そして、渡り糸部（第２渡り糸部）３の始点となる編目（第２始点編目３１）を形成した後、給糸口をＦＢの掛け目１２よりも紙面左側に位置させる（Ｔ２）。
【００２２】
次に、掛け目１２を、ＦＢからＢＢに目移しする（Ｔ３）。そして、給糸口を右に移動させて掛け目（第２掛け目３２）をＦＢの空針に形成した後（Ｔ４）、Ｔ３でＢＢに預けおいた掛け目１２よりも給糸口を左に移動させる（Ｔ５）。Ｔ３で渡り糸部１の掛け目１２をＢＢに預けておくことにより、Ｔ４，Ｔ５で給糸口から給糸される編糸は、渡り糸部１の前側を通る。
【００２３】
最後に、Ｔ３でＢＢに預けておいた掛け目１２をＦＢに戻し（Ｔ６）、給糸口を右に移動させて、Ｔ２で形成した編目３１に連続する新たな編目３３（第２終点編目）を形成し、渡り糸部３の終点を固定する（Ｔ７）。
【００２４】
Ｔ７が終了したら、編成手順１と同様に、所定の周回編成を行った後、掛け目１２，３２をベース編地部Ｂに編み込むことでベース編地部Ｂの表面上に編糸を渡らせた渡り糸部１，３を形成できる。
【００２５】
以上の編成手順１および２を組み合わせることで、複数の渡り糸部が織物のように交差するネット状の柄組織を有する編地を編成できる。渡り糸部をネット状に交差させるには、任意の２つの渡り糸部について、図２または図３に示す編成方法のいずれかを行えば良い。例えば、図１の渡り糸部２と４との関係は、渡り糸部４が後に編成されるため、図２に示す編成方法を実施すれば良い。
【００２６】
なお、ベース編地部Ｂは、円筒状の編地だけではなく、渡り糸部が渡る部分を編成しないようにするＣ字状の編成で開口部を有する編地や平面的な編地でも良い。また、本実施形態では、始点編目と終点編目の両方をベース編地部Ｂの編目に直接形成したが、これら始点編目と終点編目は、まず空針に掛け目として形成した後、目移しによりベース編地部Ｂの編目に重ねても良い。
【００２７】
また、ベース編地部Ｂを、図２により、針抜き(１針置き)の状態で示しているが、空針を使わない総針の状態であっても、トランスファージャック(日本特許３４０８７３５号参照)の使用やホールディング（日本特許２９４６３２５号参照）を活用すれば編成が可能である。
【図面の簡単な説明】
【００２８】
【図１】実施例に係る方法により得られた筒状編地の一部を示す概略図である。
【図２】互いに交差する渡り糸部を形成するための編成手順を示す編成工程図である。
【図３】互いに交差する渡り糸部を形成するための編成手順を示す編成イメージ図である。
【符号の説明】
【００２９】
Ｂ  ベース編地部
１、２、３、４  渡り糸部
１１  第１始点編目  ２１、３１  第２始点編目
１２  第１掛け目  ２２、３２  第２掛け目
１３  第１終点編目  ２３、３３  第２終点編目
【図１】
2010133055.tif 000003
【図２】
2010133055.tif 000004
【図３】
2010133055.tif 000005